(57)【要約】【課題】帯域が異なる信号を双方向に伝送する。【解決手段】信号伝送システム１０は、第１の出力アンプ２６-１と、第１のインピーダンス回路２８-１とを備えた第１送信装置２０−１と、第２の出力アンプ２６−ｎと、第２のインピーダンス回路２８-ｎとを備えた第２送信装置２０−ｎとを備える。第１の帯域において、第１の出力アンプ２６-１から第２の出力アンプ２６-ｎに流れる電流の値が第２の出力アンプ２６−ｎの最大出力電流値以下となり、第２の帯域において、第２の出力アンプ２６−ｎから第１の出力アンプ２６−１に流れる電流の値が第１の出力アンプ２６−１の最大出力電流値以下となる。【選択図】図１Ａ
2020065152.tif 000002
【特許請求の範囲】
【請求項１】
第１出力信号を出力する第１の出力アンプと、前記第１の出力アンプと伝送線との間に設けられる一又は複数のリアクタンス素子を有し、第１の帯域のインピーダンスが前記第１の帯域以外の帯域と比較して小さい第１のインピーダンス回路と、を備えた第１送信装置と、
第２出力信号を出力する第２の出力アンプと、前記第２の出力アンプと伝送線との間に設けられる一又は複数のリアクタンス素子を有し、前記第１の帯域と異なる第２の帯域のインピーダンスが前記第２の帯域以外の帯域と比較して小さい第２のインピーダンス回路と、を備えた第２送信装置と、を備え、
前記第１の帯域において、前記第１の出力アンプから前記第２の出力アンプに流れる電流の値が前記第２の出力アンプの最大出力電流値以下となり、
前記第２の帯域において、前記第２の出力アンプから前記第１の出力アンプに流れる電流の値が前記第１の出力アンプの最大出力電流値以下となる、
信号伝送システム。
【請求項２】
前記第１送信装置は、前記第１の帯域より広い帯域で周波数成分を有する第１入力信号が供給され、前記第１入力信号の前記第１の帯域以外の周波数成分を減衰させて前記第１の出力アンプに出力する第１の送信フィルタを有する請求項１に記載の信号伝送システム。
【請求項３】
前記第２送信装置は、前記第２の帯域より広い帯域で周波数成分を有する第２入力信号が供給され、前記第２入力信号の前記第２の帯域以外の周波数成分を減衰させて前記第２の出力アンプに出力する第２の送信フィルタを有する請求項２に記載の信号伝送システム。
【請求項４】
前記伝送線と接続され、前記第１の帯域及び前記第２の帯域において前記伝送線のインピーダンスより入力インピーダンスが大きい第１受信装置と、
前記伝送線と接続され、前記第１の帯域及び前記第２の帯域において前記伝送線のインピーダンスより入力インピーダンスが大きい第２受信装置と、
を備える請求項１から請求項３のうちいずれか１項に記載の信号伝送システム。
【請求項５】
前記第２受信装置は、前記第２の帯域の周波数成分を通過させ前記第２の帯域以外の周波数成分を減衰させる第２の受信フィルタを備え、前記第２の受信フィルタを用いて、前記第２出力信号の周波数成分を取り出して第２の受信信号を生成する請求項４に記載の信号伝送システム。
【請求項６】
前記第１受信装置は、前記第１の帯域の周波数成分を通過させ前記第１の帯域以外の周波数成分を減衰させる第１の受信フィルタを備え、前記第１の受信フィルタを用いて前記第１出力信号の周波数成分を取り出して第１の受信信号を生成する請求項５に記載の信号伝送システム。
【請求項７】
前記第１出力信号は、音信号であり、
前記第１受信装置は、スピーカであり、
前記伝送線は、前記スピーカに前記第１出力信号を供給するスピーカケーブルである、
請求項４又は請求項５に記載の信号伝送システム。
【請求項８】
前記伝送線は、ラインケーブルであり、
前記第１送信装置はラインレベルの前記第１出力信号を前記伝送線に出力する、
請求項４から請求項６までのうちいずれか１項に記載の信号伝送システム。
【請求項９】
前記第１の帯域の上限周波数は、前記第２の帯域の下限周波数より低く、
前記第１のインピーダンス回路に用いる一又は複数のリアクタンス素子はインダクタであり、
前記第２のインピーダンス回路に用いる一又は複数のリアクタンス素子はキャパシタである、
請求項１から請求項８までのうちいずれか１項に記載の信号伝送システム。
【請求項１０】
第３出力信号を出力する第３の出力アンプと、前記第３の出力アンプと前記伝送線との間に設けられるインダクタとキャパシタとを有し、前記第１の帯域の上限周波数より高域、かつ前記第２の帯域の下限周波数より低域の第３の帯域のインピーダンスが前記第３の帯域以外の帯域と比較して小さい第３のインピーダンス回路と、を有する第３送信装置を備える、
請求項９に記載の信号伝送システム。
【請求項１１】
第４出力信号を出力する第４の出力アンプと、前記第４の出力アンプと伝送線との間に設けられる一又は複数のリアクタンス素子を有し、前記第２の帯域のインピーダンスが前記第２の帯域以外の帯域と比較して小さい第４のインピーダンス回路と、を備えた第４送信装置を備え、
前記第２送信装置と前記第４送信装置とは、前記第２出力信号と前記第４出力信号とを排他的に前記伝送線に出力する、
請求項１から請求項１０までのうちいずれか１項に記載の信号伝送システム。
【請求項１２】
前記伝送線にインダクタを介して接続され、直流電圧を給電する給電装置と、
前記伝送線にインダクタを介して接続され、前記直流電圧を受電する受電装置とを
備え、
前記第１のインピーダンス回路は、前記第１の出力アンプと前記伝送線との間に直列に接続されるキャパシタを含み、
前記第２のインピーダンス回路は、前記第２の出力アンプと前記伝送線との間に直列に接続されるキャパシタを含む、
請求項１から請求項８までのうちいずれか１項に記載の信号伝送システム。
【請求項１３】
第１の帯域の周波数成分が前記第１帯域以外の帯域の周波数成分と比較して大きい第１出力信号が供給される伝送線に接続される送信装置であって、
第２出力信号を出力する第２の出力アンプと、
前記第２の出力アンプと前記伝送線との間に設けられ、
前記第１の帯域と異なる第２の帯域のインピーダンスが前記第１の帯域のインピーダンスと比較して小さく、前記伝送線から流れ込み前記第２の出力アンプに流れ出る前記第１信号の電流の値を前記第２の出力アンプの最大出力電流値以下とする第２のインピーダンス回路と、
を備える送信装置。
【請求項１４】
前記第２のインピーダンス回路は、前記第２の出力アンプと前記伝送線との間に接続された一又は複数のリアクタンス素子を有する請求項１３に記載の送信装置。
【請求項１５】
前記第２の帯域より広い帯域で周波数成分を有する第２入力信号が供給され、前記第２入力信号の前記第２の帯域以外の周波数成分を減衰させて前記第２の出力アンプに出力する第２の送信フィルタを有する請求項１３または１４に記載の送信装置。
【請求項１６】
請求項１３から請求項１５までのうちいずれか１項に記載の送信装置と、
前記伝送線と接続され、前記第１の帯域及び前記第２の帯域において前記伝送線のインピーダンスより入力インピーダンスが大きい第２受信装置と、
を備える通信ユニット。
【請求項１７】
前記第２受信装置は、前記第２の帯域の周波数成分を通過させ前記第２の帯域以外の周波数成分を減衰させる第２の受信フィルタを備え、前記第２の受信フィルタを用いて、前記第２出力信号の周波数成分を取り出して第２の受信信号を生成する請求項１６に記載の通信ユニット。
【請求項１８】
前記伝送線には、インダクタを介して直流電圧を給電する給電装置が接続され、
前記伝送線にインダクタを介して接続され、前記直流電圧を受電し、電力を前記送信装置に供給する受電装置を備え、
前記第２のインピーダンス回路は、前記第１の出力アンプと前記伝送線との間に直列に接続されるキャパシタを含む、
請求項１６に記載の通信ユニット。
【発明の詳細な説明】
【技術分野】
【０００１】
本発明は、信号伝送システム、送信装置及び通信ユニットに関する。
【背景技術】
【０００２】
特許文献１には、低域の音信号と高域のデータ信号とを合成部で合成し、合成した信号をスピーカから放音する装置と、マイクロホンで収音した音に基づいて音声信号とデータ信号とを再生するガイド端末とを備えたナビゲーションシステムが開示されている。
【先行技術文献】
【特許文献】
【０００３】
【特許文献１】特開２０１０ー８６１１２号公報
【発明の概要】
【発明が解決しようとする課題】
【０００４】
従来のナビゲーションシステムでは、帯域が異なる信号を合成してスピーカから放音させることによって、高域の信号と低域の信号をガイド端末に向けて一方向に伝送することはできるが、高域の信号を一方向に伝送し、低域の信号を逆方向に伝送することはできなかった。
【課題を解決するための手段】
【０００５】
上述した課題を解決するために、本発明の一態様の信号伝送システムは、第１出力信号を出力する第１の出力アンプと、前記第１の出力アンプと伝送線との間に設けられる一又は複数のリアクタンス素子を有し、第１の帯域のインピーダンスが前記第１の帯域以外の帯域と比較して小さい第１のインピーダンス回路と、を備えた第１送信装置と、第２出力信号を出力する第２の出力アンプと、前記第２の出力アンプと伝送線との間に設けられる一又は複数のリアクタンス素子を有し、前記第１の帯域と異なる第２の帯域のインピーダンスが前記第２の帯域以外の帯域と比較して小さい第２のインピーダンス回路と、を備えた第２送信装置と、を備え、前記第１の帯域において、前記第１の出力アンプから前記第２の出力アンプに流れる電流の値が前記第２の出力アンプの最大出力電流値以下となり、前記第２の帯域において、前記第２の出力アンプから前記第１の出力アンプに流れる電流の値が前記第１の出力アンプの最大出力電流値以下となる構成を備えている。
【図面の簡単な説明】
【０００６】
【図１Ａ】本発明の第１実施形態に係る信号伝送システム１０の全体の構成を示すブロック図である。
【図１Ｂ】ｎ個の送信装置２０−１〜２０−ｎが出力する信号のレベルの一例を示すグラフである。
【図２】出力アンプ２６−１と出力アンプ２６−２との間を流れる電流Ｉ＿１及び電流Ｉ＿２を説明するための説明図である。
【図３】本発明の第１実施形態に係る信号伝送システム１０Ａの全体の構成を示すブロック図である。
【図４】信号伝送システム１０Ａに用いる送信装置２０−２ａの構成を示すブロック図である。
【図５】本発明の第２実施形態に係る信号伝送システム１０Ｂの全体の構成を示すブロック図である。
【図６】応用例に係る会議室管理システム１０Ｃの全体の構成を示すブロック図である。
【発明を実施するための形態】
【０００７】
[１.第１実施形態]
[１−１. 信号伝送システム１０の全体の構成]
本発明に係る第１実施形態について、図面を参照しつつ説明する。
図１Ａは、本発明の第１実施形態に係る信号伝送システム１０の全体の構成を示すブロック図である。
信号伝送システム１０は、ｎ個の送信装置２０−１、２０−２、・・・２０−ｎと、ｎ個の受信装置４０−１、４０−２、・・・４０−ｎと、伝送線１００とを備える。但し、ｎは２以上の自然数である。信号伝送システム１０では、ｎ個の送信装置２０−１〜２０−ｎの各々が、互いに異なる帯域の信号を伝送線１００に出力する。図１Ｂにｎ個の送信装置２０−１〜２０−ｎが出力する信号のレベルの一例を示す。この図に示されるように、信号伝送システム１０では、ｎ個の帯域Ｂ１〜Ｂｎに周波数成分を有する出力信号Ｖｏ＿１〜Ｖｏ＿ｎが伝送線１００を介して伝送される。また、ｎ個の受信装置４０−１〜４０−ｎの各入力インピーダンスは、いわゆるハイインピーダンスであり、伝送線１００のインピーダンスと比較して大きい。
【０００８】
以下、送信装置２０−ｋ及び受信装置４０−ｋについて説明する。但しｋは１≦ｋ≦ｎを充足する自然数である。送信装置２０−ｋは、送信フィルタ２４−ｋ、出力アンプ２６−ｋ、インピーダンス回路２８−ｋ、及び出力端子２９−ｋを備える。送信フィルタ２４−ｋには、入力信号Ｖｉｎが供給される。送信装置２０−ｋは、帯域Ｂｋの周波数成分が帯域Ｂｋ以外の帯域の周波数成分と比較して大きい信号を伝送線１００に出力する。この信号は帯域Ｂｋについて周波数成分有する。送信フィルタ２４−ｋは、入力信号Ｖｉ＿ｋに対して帯域Ｂｋ以外の周波数成分を減衰させて出力アンプ２６−ｋに出力する。従って、入力信号Ｖｉ＿ｋが帯域Ｂｋより広い帯域で周波数成分を有する場合に、入力信号Ｖｉ＿ｋの帯域Ｂｋ以外の周波数成分を減衰させることができる。送信フィルタ２４−ｋを用いることによって、帯域Ｂｋ以外の信号に与える影響を低減することができる。
【０００９】
出力アンプ２６−ｋは、送信フィルタ２４−ｋを介して供給される入力信号Ｖｉ＿ｋを増幅して出力信号Ｖｏ＿ｋを生成する。出力アンプ２６−ｋの典型例は、電力を増幅するパワーアンプであるが、これに限定されない。また、出力アンプ２６−ｋは、過電流を保護するための保護回路を備える。保護回路は、出力アンプ２６−ｋに最大出力電流が流れると、出力電流を制限する回路である。
【００１０】
インピーダンス回路２８−ｋは、出力アンプ２６−ｋと出力端子２９−ｋとの間に設けられる一又は複数のリアクタンス素子を備える。ここで、リアクタンス素子とは、周波数によってそのリアクタンスが変化する素子を意味し、周波数が大きくなると、印加する電圧と流れる電流の比が大きくなる誘導性リアクタンスを示す素子及び周波数が大きくなると印加する電圧と流れる電流の比が小さくなる容量性リアクタンスを示す素子を含む。例えばインダクタ又はキャパシタがリアクタンス素子に該当する。
【００１１】
リアクタンス素子が有するリアクタンスは、複素インピーダンスの虚数部の値であり、電圧と電流の比であって、単位はオームである。リアクタンス素子を有するインピーダンス回路２８−ｋは、少なくとも当該回路内にはリアクタンス素子が含まれることによって、当該回路の複素インピーダンスの虚数部にリアクタンスが含まれる結果、そのインピーダンスの値が印加する信号の周波数に応じて変動する特性を有している。インピーダンス回路２８−ｋ内にリアクタンス素子が一つの場合もあれば複数の場合もあり、例えばインダクタとキャパシタとの双方が接続されている場合も含まれる。
【００１２】
また、インピーダンス回路２８−ｋの入力と出力との間のインピーダンスは、帯域Ｂｋのインピーダンスが帯域Ｂｋ以外の帯域と比較して小さい。従って、出力アンプ２６−ｋから出力される出力信号Ｖｏ＿ｋは、帯域Ｂｋにおいて、ローインピーダンスで伝送線１００に出力される。
なお、送信フィルタ２４−ｋは、帯域Ｂｋの周波数成分を通過させ、他の周波数成分を減衰させる目的で用いられる。このため、入力信号Ｖｉ＿ｋから通過させるべき周波数成分以外の他の周波数成分を減衰させる必要がない場合には、設ける必要はない。即ち、入力信号Ｖｉ−ｋの周波数成分が帯域Ｂｋより狭い場合には、送信フィルタ２４−ｋを設ける必要はない。
【００１３】
受信装置４０−ｋは、伝送線１００と接続されるバッファ回路４４−ｋと、受信フィルタ４６−ｋとを備え、受信信号Ｖｒ＿ｋを出力する。バッファ回路４４−ｋの入力インピーダンスは、いわゆるハイインピーダンスであり、ｎ個の帯域Ｂ１〜Ｂｎにおいて伝送線１００のインピーダンスよりも大きい。バッファ回路４４−ｋは伝送線１００を介して受信した信号を電圧増幅して出力する。なお、バッファ回路４４−ｋは、電圧のゲインが「１」で電流増幅をしてもよい。受信装置４０−ｋにおいて受信すべき信号の帯域は帯域Ｂｋである。受信フィルタ４６−ｋは、帯域Ｂｋの周波数成分を通過させ、帯域Ｂｋ以外の周波数成分を減衰させる。受信フィルタ４６−ｋによって、送信装置２０−ｋから送信される出力信号Ｖｏ＿ｋの周波数成分が取り出され、受信信号Ｖｒ−ｋが生成される。
なお、受信フィルタ４６−ｋは、帯域Ｂｋの周波数成分を通過させ、他の周波数成分を減衰させる目的で用いられる。このため、バッファ回路４４−ｋに入力される信号から通過させるべき周波数成分以外の他の周波数成分を減衰させる必要がない場合には、設ける必要はない。
【００１４】
伝送線１００は、音信号を伝送する場合には、スピーカケーブル、ピンケーブルと呼ばれるオーディケーブルが好ましいが、電気信号を伝送することができるケーブルであれば、あらゆるケーブルを用いることができ、オーディオケーブルに限らない。
【００１５】
上述した信号伝送システム１０では、ｎ個の送信装置２０−１〜２０−ｎは、同時に出力信号Ｖｏ＿１〜Ｖｏ＿ｎを伝送線１００に対して出力することがある。インピーダンス回路２８−１〜２８−ｎは、出力信号Ｖｏ＿１〜Ｖｏ＿ｎが伝送線１００に同時に出力されても各出力アンプ２６−１〜２６−ｎの最大出力電流を超えないように、一又は複数のリアクタンス素子のインダクタンス又はキャパシタンスが設定されている。
【００１６】
例えば、送信装置２０−１（第１送信装置の一例）から出力信号Ｖｏ＿１が出力され、送信装置２０−ｎ（第２送信装置の一例）から出力信号Ｖｏ＿ｎが出力される場合を想定する。図２に示すように、出力アンプ２６−１（第１の出力アンプの一例）、インピーダンス回路２８−１（第１のインピーダンス回路の一例）、伝送線１００、インピーダンス回路２８−ｎ（第２のインピーダンス回路の一例）の経路で電流Ｉ＿１が出力アンプ２６−ｎ（第２の出力アンプの一例）に流れ込む。また、出力アンプ２６−ｎ、インピーダンス回路２８−ｎ、伝送線１００、インピーダンス回路２８−１の経路で電流Ｉ＿ｎが出力アンプ２６−１に流れ込む。仮に、インピーダンス回路２８−１及びインピーダンス回路２８−ｎが設けられていないと、出力アンプ２６−１と出力アンプ２６−ｎとが直接接続されることになる。即ち、出力アンプ２６−１及び出力アンプ２６−ｎの負荷がローインピーダンスとなり、最大出力電流値を超える電流が流れる。
【００１７】
これに対して、本実施形態では、帯域Ｂ１において流れる電流の値が最大出力電流値を超えないようにインピーダンス回路２８−ｎのインピーダンスが定められており、帯域Ｂｎにおいて流れる電流の値が最大出力電流値を超えないようにインピーダンス回路２８−１のインピーダンスが定められる。
【００１８】
インピーダンス回路２８−１のインピーダンスをＺ１、インピーダンス回路２８−２のインピーダンスをＺ２、伝送線１００のインピーダンスをＺｘとすると、出力アンプ２６−１から出力アンプ２６−２を見たインピーダンス及び出力アンプ２６−２から出力アンプ２６−１を見たインピーダンスは、Ｚ１＋Ｚｘ＋Ｚ２となる。送信装置２０−２から送信装置２０−１に流れ込む電流Ｉ＿２について検討する。まず、送信装置２０−２の出力信号Ｖｏ＿２は、帯域Ｂ２の周波数成分が大きく、帯域Ｂ２以外の周波数成分が小さい。従って、電流Ｉ＿２に起因する出力アンプ２６−１の過電流は、帯域Ｂ２の周波数成分を検討すればよい。帯域Ｂ２においてインピーダンス回路２８−２は、出力信号Ｖｏ＿２を伝送線１００に出力するために、インピーダンスが低く設定されている。従って、帯域Ｂｎにおける出力アンプ２６−２から出力アンプ２６−１までのインピーダンスは、Ｚ１、Ｚｘ、及びＺ２のうち、Ｚ１が支配的になる。このため、インピーダンス回路２８−１のインピーダンスＺ１は、帯域Ｂ２において流れる電流Ｉ＿２の値が出力アンプ２６−１の最大出力電流値以下となるように定められる。換言すれば、インピーダンス回路２８−１によって、伝送線１００からインピーダンス回路２８−１に流れ込み出力アンプ２６−１に流れ出る出力信号Ｖｏ＿２の電流Ｉ＿２の値が出力アンプ２６−１の最大出力電流値以下となる。
【００１９】
次に、送信装置２０−１から送信装置２０−２に流れ込む電流Ｉ＿１について検討する。まず、送信装置２０−１の出力信号Ｖｏ＿１は、帯域Ｂ１の周波数成分が大きく、帯域Ｂ１以外の周波数成分が小さい。従って、電流Ｉ＿１に起因する出力アンプ２６−２の過電流は、帯域Ｂ１の周波数成分を検討すればよい。帯域Ｂ１におけるインピーダンスは、Ｚ１、Ｚｘ、及びＺ２のうち、Ｚ２が支配的になる。このため、インピーダンス回路２８−２のインピーダンスＺ２は、帯域Ｂ１において流れる電流Ｉ＿１の値が出力アンプ２６−２の最大出力電流値以下となるように定められる。換言すれば、インピーダンス回路２８−２を構成する一又は複数のリアクタンス素子のリアクタンス値は、伝送線１００からインピーダンス回路２８−１に流れ込み出力アンプ２６−１に流れ出る電流Ｉ＿２の値が出力アンプ２６−１の最大出力電流値以下となるように定められる。インピーダンス回路２８−２によって、伝送線１００からインピーダンス回路２８−２に流れ込み出力アンプ２６−２に流れ出る出力信号Ｖｏ＿１の電流Ｉ＿１の値が出力アンプ２６−１の最大出力電流値以下となる。
以上の検討は、２個の送信装置２０−１及び２０−２だけを備えるシステムに限られず、ｎ個の送信装置２０−１〜２０−ｎを備える信号伝送システム１０においても同様である。
【００２０】
インピーダンス回路２８−１のインピーダンスを帯域Ｂ１においてローインピーダンスとなり帯域Ｂ２においてハイインピーダンスとなるように設定したので、帯域Ｂ１において電流Ｉ＿１を送信装置２０−１から送信装置２０−２に向けて流しても出力アンプ２６−２に過電流が流れない。また、インピーダンス回路２８−２のインピーダンスを帯域Ｂ２においてローインピーダンスとなり帯域Ｂ１においてハイインピーダンスとなるように設定したので、帯域Ｂ２において電流Ｉ＿２を送信装置２０−２から送信装置２０−１に向けて流しても出力アンプ２６−１に過電流が流れない。よって、信号伝送システム１０は、伝送線１００を介して帯域の異なる信号を双方向に伝送することができる。
【００２１】
また、信号伝送システム１０において、出力信号Ｖｏ＿１〜Ｖｏ＿ｋのうち、最も周波数が低いのは帯域Ｂ１に対応する出力信号Ｖｏ＿１であり、最も周波数が高いのは帯域Ｂｎに対応する出力信号Ｖｏ＿ｎである。このため、インピーダンス回路２８−１（第１のインピーダンス回路の一例）に用いるリアクタンス素子としてインダクタを採用してもよい。また、インピーダンス回路２８−ｎ（第２のインピーダンス回路の一例）に用いるリアクタンス素子としてキャパシタを採用してもよい。さらに、インピーダンス回路２８−２からインピーダンス回路２８−ｎ-１までに用いるリアクタンス素子として、直列に接続されたインダクタ及びキャパシタを採用してもよい。この場合、インピーダンス回路２８−１はローパスフィルタとして機能し、インピーダンス回路２８−ｎはハイパスフィルタとして機能し、インピーダンス回路２８−２からインピーダンス回路２８−ｎ-１まではバンドパスフィルタとして機能する。ここで、帯域Ｂ１（第１の帯域の一例）の上限周波数は帯域Ｂｎ（第２の帯域の一例）の下限周波数より低い。また、帯域Ｂ３（第３の帯域の一例）は、帯域Ｂ１の上限周波数より高域、かつ帯域Ｂｎの下限周波数より低域である。送信装置２０−３（第３送信装置の一例）は、出力信号Ｖｏ＿３（第３出力信号の一例）を出力する出力アンプ２６−３（第３の出力アンプの一例）とインピーダンス回路２８−３（第３のインピーダンス回路の一例）を備える。インピーダンス回路２８−３は、出力アンプ２６-３と伝送線１００との間に設けられるインダクタとキャパシタとを有し、帯域Ｂ３のインピーダンスが帯域Ｂ３以外の帯域と比較して小さい。
【００２２】
上述した第１実施形態では、送信装置の個数と受信装置の個数が一致したが不一致であってもよい。ｍを１以上の自然数とした場合、信号伝送システム１０は、ｎ個の送信装置とｍ個の受信装置とを備えてもよい。例えば、送信装置２０−ｋから出力される帯域Ｂｋの出力信号Ｖｏ＿ｋを複数の受信装置４０−ｋで受信してもよい。この場合、出力信号Ｖｏ＿ｋに複数の受信装置４０−ｋのうち一つを特定する識別信号を含ませてもよい。複数の受信装置４０−ｋの各々は、識別信号が自己の受信装置に割り当てられた識別信号であるかを判定する判定部を備える。出力信号Ｖｏ＿ｋを複数の受信装置４０−ｋで受信すると、判定部の判定結果が一致を示す場合に受信信号Ｖｒ＿ｋを出力し、判定部の判定結果が不一致を示す場合に受信信号Ｖｒ＿ｋを出力しない。
【００２３】
[１−２. 信号伝送システム１０の具体例]
次に、信号伝送システム１０の具合例である信号伝送システム１０Ａについて説明する。この例では、帯域Ｂ１（第１の帯域の一例）と帯域Ｂｎ（第２の帯域の一例）とで信号を伝送する。また、帯域Ｂ１の下限周波数は０Ｈｚであり、帯域Ｂ１の上限周波数は８ｋＨｚである。帯域Ｂ２の下限周波数は１８ｋＨｚ−３０Ｈｚであり、帯域Ｂ２の上限周波数は１８ｋＨｚ＋３０Ｈｚである。
【００２４】
図３は信号伝送システム１０Ａの構成例を示すブロック図である。この図に示されるように信号伝送システム１０Ａは、通信ユニットＵ１〜Ｕ３と、スピーカ５０−１及び５０−２と、伝送線１００とを備える。この例の伝送線１００は、ツイストペア又は平行２芯のスピーカケーブルである。スピーカ５０−１及び５０−２の入力インピーダンスはハイインピーダンスであり、例えば、１０ｋオームである。
【００２５】
通信ユニットＵ１は、出力信号Ｖｏ＿１を伝送線１００に出力する。出力信号Ｖｏ＿１は帯域Ｂ１の周波数成分が帯域Ｂ１以外の帯域の周波数成分と比較して大きい。通信ユニットＵ２及びＵ３は、出力信号Ｖｏ＿２ａ及びＶｏ＿２ｂを伝送線１００に出力する。出力信号Ｖｏ＿２ａ及びＶｏ＿２ｂは、帯域Ｂ２の周波数成分が帯域Ｂ２以外の帯域の周波数成分と比較して大きい。通信ユニットＵ１の入力信号Ｖｉ＿１は、２０Ｈｚ〜２０ｋＨの周波数成分を有する音信号である。通信ユニットＵ２及びＵ３の入力信号Ｖｉ＿２ａ及びＶｉ＿２ｂは１８ｋＨｚのキャリア信号を変調したデータ信号である。即ち、信号伝送システム１０Ａでは、伝送線１００として音信号を伝送するスピーカケーブルに、データ信号を重畳して通信する。通信ユニットＵ２及びＵ３は、同じ帯域Ｂ２において通信するため、出力信号Ｖｏ＿２ａ及びＶｏ＿２ｂを排他的に伝送線１００に出力する。この例では、通信ユニットＵ２はマスター装置として機能し、通信ユニットＵ３はスレーブ装置として機能する。
【００２６】
通信ユニットＵ１は、上述した送信装置２０−１を備える。送信装置２０−１の送信フィルタ２４−１において、入力信号Ｖｉ＿１の周波数成分が帯域Ｂ１に制限される。通信ユニットＵ２は送信装置２０−２ａと受信装置４０−２ａとを備え、通信ユニットＵ３は送信装置２０−２ｂと受信装置４０−２ｂとを備える。送信装置２０−２ａ及び２０−２ｂは、同一の構成である。また、受信装置４０−２ａ及び４０−２ｂは、同一の構成であり、例えば、受信装置４０−２である。
【００２７】
図４は送信装置２０−２ａの構成を示すブロック図である。同図において、図１に示す送信装置２０-２と同一の構成には、同一の符号を付し、説明を省略する。送信装置２０−２ａは、制御回路２７を備える点で送信装置２０−２と相違する。なお、送信装置２０−２ａの制御回路２７は、通信ユニットＵ２をマスター装置として機能させ、送信装置２０−２ｂの制御回路２７は、通信ユニットＵ３をスレーブ装置として機能させる。
【００２８】
制御回路２７は、出力アンプ２６−２の出力をハイインピーダンス状態とするかローインピーダンス状態にするかを制御する。出力アンプ２６−２の出力がローインピーダンス状態に制御されると出力信号Ｖｏ＿２ａが伝送線１００に出力され、出力アンプ２６−２の出力がハイインピーダンス状態に制御されると、出力信号Ｖｏ＿２ａが伝送線１００に出力されない。
【００２９】
マスター装置として機能する送信装置２０−２ａの制御回路２７が、出力アンプ２６−２の出力をローインピーダンス状態とする期間において、送信装置２０−２ｂの制御回路２７は出力アンプ２６−２の出力をハイインピーダンス状態とする。また、スレーブ装置として機能する送信装置２０−２ｂの制御回路２７が、出力アンプ２６−２の出力をローインピーダンス状態とする期間において、送信装置２０−２ａの制御回路２７は出力アンプ２６−２の出力をハイインピーダンス状態とする。
【００３０】
このように、送信装置２０−２ａと送信装置２０−２ｂとは、出力信号Ｖｏ＿２ａと出力信号Ｖｏ＿２ｂとを排他的に伝送線１００に出力するので、帯域Ｂ２において送信装置２０−２ａの出力アンプ２６-２と送信装置２０−２ｂの出力アンプ２６-２とが短絡されることはない。なお、送信装置２０−２ａ及び２０−２ｂにおいて、出力アンプ２６−２から出力端子２９−２までの経路にリレーを設け、制御回路２７がリレーをオン状態にするかオフ状態にするかを制御してもよい。
【００３１】
スピーカ５０−１及び５０−２には、帯域Ｂ１の出力信号Ｖｏ＿１と、帯域Ｂ２の出力信号Ｖｏ＿２ａ及びＶｏ＿２ｂが供給される。スピーカ５０−１及び５０−２は、帯域Ｂ２の出力信号Ｖｏ＿２ａ及びＶｏ＿２ｂを、十分再生できない場合もある。また、スピーカ５０−１及び５０−２が、帯域Ｂ２の出力信号Ｖｏ＿２ａ及びＶｏ＿２ｂを、再生できても、人の聴覚では聞き取りづらい。このため、スピーカ５０−１及び５０−２からは、実質的に帯域Ｂ１の音が放音される。
【００３２】
ここで、スピーカ５０−１及び５０−２は、出力信号Ｖｏ＿１、Ｖｏ＿２ａ及びＶｏ＿２ｂを受信する。スピーカ５０−１及び５０−２の入力インピ−ダンスは１０ｋオームであり、伝送線１００のインピーダンスより大きい。即ち、スピーカ５０−１及び５０−２は、伝送線１００と接続され、帯域Ｂ１及び帯域Ｂ２において伝送線１００のインピーダンスより入力インピーダンスが大きい受信装置として機能する。
【００３３】
送信装置２０−１のインピーダンス回路２８−１は、インダクタで構成される。インダクタのインダクタンスは、例えば、１ｍＨである。また、送信装置２０−２ａ及び２０−２ｂのインピーダンス回路２８−２は、キャパシタで構成される。キャパシタのキャパシタンスは例えば０．０１μＦである。
【００３４】
以上説明したように、信号伝送システム１０において、送信装置２０−１は、出力信号Ｖｏ＿１（第１出力信号の一例）を出力する出力アンプ２６−１（第１の出力アンプの一例）と、出力アンプ２６−１と伝送線１００との間に設けられる一又は複数のリアクタンス素子を有し、帯域Ｂ１（第１の帯域の一例）のインピーダンスが帯域Ｂ１以外の帯域と比較して小さいインピーダンス回路２８−１（第１のインピーダンス回路の一例）と、を備える。また、送信装置２０−２（第２送信装置の一例）は、出力信号Ｖｏ＿２（第２出力信号の一例）を出力する出力アンプ２６−２（第２の出力アンプの一例）と、出力アンプ２６−２と伝送線１００との間に設けられる一又は複数のリアクタンス素子を有し、帯域Ｂ１と異なる帯域Ｂ２（第２の帯域の一例）のインピーダンスが帯域Ｂ２以外の帯域と比較して小さいインピーダンス回路２８−２（第２のインピーダンス回路の一例）とを備える。信号伝送システム１０では、帯域Ｂ１において、出力アンプ２６-１から出力アンプ２６−２に流れる電流Ｉ＿１の値が出力アンプ２６−２の最大出力電流値以下となる。また、帯域Ｂ２において、出力アンプ２６−２から出力アンプ２６−１に流れる電流Ｉ＿２の値が出力アンプ２６−１の最大出力電流値以下となる。
【００３５】
従って、帯域Ｂ１において電流Ｉ＿１を送信装置２０−１から送信装置２０−２に向けて流しても出力アンプ２６−２に過電流が流れない。帯域Ｂ２において電流Ｉ＿２を送信装置２０−２から送信装置２０−１に向けて流しても出力アンプ２６−１に過電流が流れない。よって、信号伝送システム１０は、伝送線１００を介して帯域の異なる信号を双方向に伝送することができる。
【００３６】
また、送信装置２０−１（第１送信装置の一例）は、帯域Ｂ１より広い帯域で周波数成分を有する入力信号Ｖｉ＿１（第１入力信号の一例）が供給され、入力信号Ｖｉ＿１の帯域Ｂ１以外の周波数成分を減衰させて出力アンプ２６−１に出力する送信フィルタ２４−１（第１の送信フィルタの一例）を有する。送信フィルタ２４−１を用いることによって、帯域Ｂ１以外の信号に与える影響を低減することができる。
【００３７】
また、送信装置２０−２（第２送信装置の一例）は、帯域Ｂ２より広い帯域で周波数成分を有する入力信号Ｖｉ＿２（第２入力信号の一例）が供給され、入力信号Ｖｉ＿２の帯域Ｂ２以外の周波数成分を減衰させて出力アンプ２６−２に出力する送信フィルタ２４−２（第２の送信フィルタの一例）を有する。送信フィルタ２４−２を用いることによって、帯域Ｂ２以外の信号に与える影響を低減することができる。
【００３８】
また、信号伝送システム１０は、伝送線１００と接続され、帯域Ｂ１及び帯域Ｂ２において伝送線１００のインピーダンスより入力インピーダンスが大きいスピーカ５０−１（第１受信装置の一例）と、伝送線１００と接続され、帯域Ｂ１及び帯域Ｂ２において伝送線１００のインピーダンスより入力インピーダンスが大きい受信装置４０-２（第２受信装置の一例）とを備える。この態様によれば、送信装置２０−１及び送信装置２０−２ａ（第２送信装置の一例）から送信される信号を効率よく受信することができる。
【００３９】
また、受信装置４０−２は、帯域Ｂ２の周波数成分を通過させ帯域Ｂ２以外の周波数成分を減衰させる受信フィルタ４６−２（第２の受信フィルタの一例）を備え、受信フィルタ４６−２を用いて、出力信号Ｖｏ＿２ｂ（第２出力信号の一例）の周波数成分を取り出して受信信号Ｖｒ＿２ａ（第２の受信信号に一例）を生成する。このため、出力信号Ｖｒ＿２ｂのノイズが低減される。
【００４０】
また、受信装置４０−１（第１受信装置の一例）は、帯域Ｂ１の周波数成分を通過させ帯域Ｂ１以外の周波数成分を減衰させる受信フィルタ４６−１（第１の受信フィルタの一例）を備え、受信フィルタ４６−１を用いて、出力信号Ｖｏ＿１（第１出力信号の一例）の周波数成分を取り出して受信信号Ｖｒ＿１（第１の受信信号に一例）を生成する。このため、受信信号Ｖｒ＿１のノイズが低減される。
【００４１】
また、送信装置２０−２ｂ（第４送信装置の一例）は、図４に示す送信装置２０−２ａと同一の構成であるので、出力信号Ｖｏ＿２（第４出力信号の一例）を出力する出力アンプ２６−２（第４の出力アンプの一例）と、出力アンプ２６−２と伝送線１００との間に設けられる一又は複数のリアクタンス素子を有し、帯域Ｂ２のインピーダンスが帯域Ｂ２以外の帯域と比較して小さいインピーダンス回路２８−２（第４のインピーダンス回路の一例）とを備える。そして、図３に示す信号伝送システム１０Ａにおいて、送信装置２０−２ａと送信装置２０−２ｂとは、出力信号Ｖｏ＿２ａと出力信号Ｖｏ＿２ｂとを排他的に伝送線１００に出力する。従って、同じ帯域の信号は同時に伝送線１００に出力されないので、送信装置２０−２ａと送信装置２０−２ｂとに過電流が流れることを抑制できる。
【００４２】
[２.第２実施形態]
上述した第１実施形態において、信号伝送システム１０及び１０Ａは、伝送線１００を介して信号を伝送した。これに対して、第２実施形態において、信号伝送システム１０Ｂは、伝送線１００を介して信号及び電力を伝送する。
【００４３】
図５は、第２実施形態に係る信号伝送システム１０Ｂのブロック図である。同図において図４と同一の構成には、同一の符号を付し、その説明を省略する。信号伝送システム１０Ｂは、通信ユニットＵ１ａに設けられた給電装置６０おいて直流電圧を発生し、伝送線１００を介して、通信ユニットＵ２ａに設けられた受電装置７０ａ及び通信ユニットＵ２ａに設けられた受電装置７０ｂに直流電圧を供給する。
【００４４】
通信ユニットＵ１ａは、キャパシタ２１−１、給電装置６０、及びインダクタ６１を備える点を除いて、図４に示す通信ユニットＵ１と同一の構成である。給電装置６０は、送信装置２０−１に直流電圧を電源電圧として供給する。また、給電装置６０はインダクタ６１を介して伝送線１００に接続される。インダクタ６１のインダクタンスは、給電装置６０が送信装置２０−１、２０−２ａ及び２０−２ｂの負荷とならように設定される。インダクタ６１のインダクタンスは、例えば、１００ｍＨである。
【００４５】
キャパシタ２１−１は、送信装置２０−１と伝送線１００との間に設けられる。キャパシタ２１−１によって、出力アンプ２６−１（図１参照）に直流電圧が印加されない。なお、送信装置２０−１のインピーダンス回路２８−１のリアクタンス素子としてキャパシタが含まれる場合、キャパシタ２１−１を省略することができる。キャパシタ２１−１のキャパシタンスは、例えば、１００μＦである。
【００４６】
また、スピーカ５０−１と伝送線１００との間にキャパシタ５１−１が設けられ、スピーカ５０−２と伝送線１００との間にキャパシタ５１−２が設けられる。キャパシタ５１−１及びキャパシタ５１−２によって、伝送線１００に直流電圧が重畳してもスピーカ５０−１及びスピーカ５０−２に直流電圧が印加されない。
【００４７】
通信ユニットＵ２ａは、キャパシタ４１−２ａ、インダクタ７１ａ、及び受電装置７０ａを備える点を除いて、通信ユニットＵ２と同一の構成である。受信装置４０−２ａと伝送線１００との間にはキャパシタ４１−２ａが設けられる。キャパシタ２１−２ａによって、受信装置４０−２ａに直流電圧が印加されない。なお、送信装置２０−２ａのインピーダンス回路２８−２はキャパシタを含むので、出力アンプ２６−２に直流電圧は印加されない。
【００４８】
受電装置７０ａはインダクタ７１ａを介して伝送線１００に接続される。インダクタ７１ａのインダクタンスは、受電装置７０ａが送信装置２０−１、２０−２ａ及び２０−２ｂの負荷とならように設定される。インダクタ７１ａのインダクタンスは、例えば、１００ｍＨである。受電装置７０は、通信ユニットＵ２ａの電源回路として機能し、受信装置４０−２ａと送信装置２０−２ａに電源電圧を給電する。
【００４９】
通信ユニットＵ３ａは、キャパシタ４１−２ｂ、インダクタ７１ｂ、及び受電装置７０ｂを備える点を除いて、通信ユニットＵ３と同一の構成である。受信装置４０−２ｂと伝送線１００との間にはキャパシタ４１−２ｂが設けられる。キャパシタ２１−２ｂによって、受信装置４０−２ｂに直流電圧が印加されない。なお、送信装置２０−２ｂのインピーダンス回路２８−２はキャパシタを含むので、出力アンプ２６−２に直流電圧は印加されない。
【００５０】
受電装置７０ｂはインダクタ７１ｂを介して伝送線１００に接続される。インダクタ７１ｂのインダクタンスは、受電装置７０ｂが送信装置２０−１、２０−２ａ及び２０−２ｂの負荷とならように設定される。インダクタ７１ｂのインダクタンスは、例えば、１００ｍＨである。受電装置７０ｂは、通信ユニットＵ３ｂの電源回路として機能し、受信装置４０−２ｂと送信装置２０−２ｂに電源電圧を給電する。
【００５１】
信号伝送システム１０Ｂは、伝送線１００にインダクタ６１を介して接続され、直流電圧を給電する給電装置６０と、伝送線１００にインダクタを介して接続され、直流電圧を受電する受電装置７０ａとを備え、送信装置２０−２ａのインピーダンス回路２８-１（第１のインピーダンス回路の一例）は、出力アンプ（第１の出力アンプの一例）と伝送線１００との間に直列に接続されるキャパシタを含み、送信装置２０−２ｂのインピーダンス回路２８-１（第２のインピーダンス回路の一例）は、出力アンプ（第２の出力アンプの一例）と伝送線１００との間に直列に接続されるキャパシタを含む。従って、直流電圧が出アンプの出力に印加されない。
【００５２】
信号伝送システム１０Ｂによれば、伝送線１００を用いて直流電圧を伝送できるので、通信ユニット２ａ及び３ａに、電源回路を設ける必要が無くなる。この結果、構成を簡素化することができる。
【００５３】
[３.応用例]
次に、上述した信号伝送システム１０の応用した会議室管理システム１０Ｃについて説明する。図６は会議室管理システム１０Ｃの構成を示すブロック図である。会議室管理システム１０Ｃは、複数の会議室の各々について、温度と照明を集中して管理するとともに、複数の会議室の全てに音声の放送を提供する。
【００５４】
図６に示されるように、会議室管理システム１０Ｃは、管理装置８０、ｊ個の部屋ユニットＵｘ−１〜Ｕｘ−ｊ、及び伝送線１００を備える。但し、ｊは１以上の自然数である。この例では、ｊ個の会議室の各々に部屋ユニットＵｘ−１〜Ｕｘ−ｊのいずれかが設けられている。部屋ユニットＵｘ−１〜Ｕｘ−ｊは同一の構成である。また、伝送線１００としてスピーカケーブルが用いられる。
なお、図３を参照して説明した信号伝送システム１０Ａと同一の構成には、同一の符号を付し、その説明を適宜省略する。
【００５５】
管理装置８０は、送信装置２０−１ａ及び２０−２ａ、受信装置４０−２ａ、処理装置８１、入力装置８２、表示装置８３、記憶装置８４、並びにバス８５を備える。送信装置２０−１ａは、帯域Ｂ１に周波数成分を有する出力信号Ｖｏ＿１を伝送線に１００に出力する。帯域Ｂ１の下限周波数は０Ｈｚであり、帯域Ｂ１の上限周波数は８ｋＨｚである。送信装置２０−２ａは、帯域Ｂ２に周波数成分を有する出力信号Ｖｏ＿２を伝送線１００に出力する。帯域Ｂ２の下限周波数は１８ｋＨｚ−３０Ｈｚであり、帯域Ｂ２の上限周波数は１８ｋＨｚ＋３０Ｈｚである。出力信号Ｖｏ＿１は音信号であり、出力信号Ｖｏ＿２はデータ信号である。
【００５６】
処理装置８１は、管理装置８０の全体を制御するプロセッサである。処理装置８１は、例えば、周辺装置とのインタフェース、演算装置及びレジスタ等を含む中央処理装置（ＣＰＵ：Central Processing Unit）で構成される。
【００５７】
記憶装置８４は、処理装置８１が読取可能な記録媒体であり、処理装置８１が実行する管理プログラム、及び処理装置８１が使用する各種のデータを記憶する。記憶装置８４は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。
【００５８】
入力装置８２は、各種の情報を入力するための機器であり、例えば、キーボード及びマイクロホンなどが該当する。管理者は、キーボードを用いて会議室の使用予定を入力し、あるいは、マイクロホンを用いて緊急時の放送音声を入力する。入力装置８２によって入力された情報は、処理装置８１に出力される。表示装置８３は、処理装置８１による制御のもとで各種の画像を表示する。
【００５９】
処理装置８１は、管理プログラムを実行することにより、予めユーザーが入力した会議室を使用するスケジュールに従って、各会議室の環境を制御する。例えば、管理装置８０は、会議室の使用予定時間の前から当該会議室の温度を監視し、使用予定時間に適切な温度となるように、当該会議室の空調装置９４を制御する。また、管理装置８０は、会議室の照度を監視し、使用予定時間を過ぎても照度が高い場合に、当該会議室の照明装置９２をオフするように制御する。また、処理装置８１は、緊急時の放送音声を示す音信号を送信装置２０−１ａを介して伝送線１００に出力する。
【００６０】
次に、部屋ユニットＵｘ−１は、スピーカ５０−１、送信装置２０−２ｂ、受信装置４０−２ｂ、制御装置９１、照明装置９２、照度センサ９３、空調装置９４、温度センサ９５、記憶装置９６及びバス９７を備える。送信装置２０−２ｂは、帯域Ｂ２に周波数成分を有する出力信号Ｖｏ＿２ｂを伝送線１００に出力する。出力信号Ｖｏ＿２ｂは帯域Ｂ２に周波数成分を有するデータ信号である。受信装置４０−２ｂは、帯域Ｂ２に周波数成分を有するデータ信号を受信する。スピーカ５０−１には、伝送線１００を介して音信号とデータ信号が重畳した信号が供給される。このうちデータ信号は帯域Ｂ２の周波数成分を有するので、スピーカ５０−１から放音される音に含まれるデータ信号の成分は、人の聴覚で殆ど認識することができない。従って、人が認識するスピーカ５０−１から放音される音は、音信号に基づく音になる。
【００６１】
制御装置９１は、部屋ユニットＵｘ−１の全体を制御するプロセッサである。制御装置９１は、例えば、周辺装置とのインタフェース、演算装置及びレジスタ等を含む中央処理装置（ＣＰＵ：Central Processing Unit）で構成される。
【００６２】
記憶装置９６は、制御装置９１が読取可能な記録媒体であり、制御装置９１が実行する管理プログラム、及び制御装置９１が使用する各種のデータを記憶する。記憶装置９６は、例えば、ＲＯＭ、ＥＰＲＯＭ、ＥＥＰＲＯＭ、ＲＡＭ等の記憶回路の１種類以上で構成される。
【００６３】
照明装置９２は、蛍光灯などの発光装置を含み、制御装置９１の制御の下、発光装置のオン又はオフを切り替える。照度センサ９３は、会議室の照度を検出する。空調装置９４は、制御装置９１の制御の下、冷房と暖房とを切り替える。温度センサ９５は会議室の温度を検出する。
【００６４】
制御装置９１は、管理装置８０の送信装置２０−２ａから送信されるデータ信号を受信装置４０−２ｂを介して取得し、データ信号に含まれるコマンドに従って、照明装置９２及び空調装置９４を制御する。また、制御装置９１は、データ信号に含まれるコマンドに従って、照度センサ９３が検出した照度を示す照度データ及び温度センサ９５が検出した温度を示す温度データを、送信装置２０-２ｂを介して管理装置８０に送信する。
【００６５】
従って、管理装置８０はマスター装置として機能し、各部屋ユニットＵｘ−１〜Ｕｘ−ｊはスレーブ装置として機能する。上述した会議室管理システム１０Ｃによれば、各会議室に設けられるスピーカ５０−１に音信号を供給するスピーカケーブルを用いて、データ信号を双方向に伝送することができる。
【００６６】
上述した会議室管理システム１０Ｃにおいて、第２実施形態で説明した給電装置６０と受電装置７０ａとを適用してもよい。この場合、管理装置８０に給電装置６０を設け、部屋ユニットＵｘ−１〜Ｕｘ−ｊの各々に受電装置７０ａを設けてもよい。さらに、スピーカ５０−１を収納するスピーカユニットに、受電装置７０ａ、送信装置２０−２ｂ、受信装置４０−２ｂ、照度センサ９３、及び温度センサ９５、記憶装置９６及びバス９７を設けてもよい。そして、スピーカユニットと照明装置９２とを第１の配線で接続し、スピーカユニットと空調装置９４とを第２の配線で接続してもよい。この態様によれば、各会議室にスピーカユニットを取り付けて、各スピーカユニットと管理装置８０とをスピーカケーブルで接続すればよいので、簡易に会議室管理システム１０Ｃを構築できる。しかも、スピーカユニットに含まれる各構成要素に電力を供給するために、電源回路を個別に用意する必要もない。
【００６７】
[４.変形例]
本発明は、以上に例示した実施形態に限定されない。具体的な変形の態様を以下に例示する。以下の例示から任意に選択された２以上の態様を併合してもよい。
【００６８】
上述した実施の形態においては、伝送線１００としてスピーカケーブルを例示したが、伝送線１００はオーディオ機器を接続するためのラインケーブルであってもよい。例えば、プリアンプとメインアンプとをラインケーブルで接続し、ラインケーブルを用いて音信号にデータ信号を重畳した信号をラインレベルで伝送してもよい。ラインレベルはラインケーブルを用いてオーディオ機器間で伝送される信号のレベルである。ラインレベルはオーディオ機器の仕様、あるいはオーディオ機器間の信号伝送に関する規格によって定まる。この態様によれば、プリアンプとメインアンプとの間で双方向にデータ信号を伝送することが可能となる。
【００６９】
また、上述した実施の形態として説明した信号伝送システム１０Ａに用いられる送信装置２０−１は、出力信号Ｖｏ＿１（第１出力信号の一例）を出力する出力アンプ２６−１（第１の出力アンプの一例）と、出力アンプ２６−１と伝送線１００との間に設けられる一又は複数のリアクタンス素子を有し、帯域Ｂ１（第１の帯域の一例）のインピーダンスが帯域Ｂ１以外の帯域と比較して小さいインピーダンス回路２８−１（第１のインピーダンス回路の一例）と、を備える。これにより帯域Ｂ１以外の信号を減衰させることができ、他の送信装置から送信装置２０−１に向けて電流を流しても、出力アンプ２６−１に過電流が流れないようにすることができる。
さらに、送信装置２０−１（第１送信装置の一例）は、帯域Ｂ１より広い帯域で周波数成分を有する入力信号Ｖｉ＿１（第１入力信号の一例）が供給され、入力信号Ｖｉ＿１の帯域Ｂ１以外の周波数成分を減衰させて出力アンプ２６−１に出力する送信フィルタ２４−１（第１の送信フィルタの一例）を有してもよい。送信フィルタ２４−１を用いることによって、帯域Ｂ１以外の信号に与える影響を低減することができる。
【符号の説明】
【００７０】
１０，１０Ａ，１０Ｂ…信号伝送システム、２０−１〜２０−ｎ…送信装置、２４−ｋ…送信フィルタ、２６−ｋ…出力アンプ、２８−１〜２８−ｎ…インピーダンス回路、２９−ｋ…出力端子、４０−ｋ…受信装置、４６−１…受信フィルタ、５０−１…スピーカ、６０…給電装置、７０…受電装置。
【図１Ａ】
2020065152.tif 000003
【図１Ｂ】
2020065152.tif 000004
【図２】
2020065152.tif 000005
【図３】
2020065152.tif 000006
【図４】
2020065152.tif 000007
【図５】
2020065152.tif 000008
【図６】
2020065152.tif 000009